(57)【要約】  異種ネットワークで使用される既存のセル間干渉調整技術では、近隣セル基準信号干渉の相殺をどのようにトリガおよびサポートするかについて議論されていない。本発明では、セル基準信号干渉相殺を実施する方法が提供され、基地局が、少なくとも１つのセルの構成情報をＵＥに送信し（Ｓ３０）、構成情報がＵＥによって使用され、セルに対するセル基準信号干渉が相殺され、少なくとも１つのセルが１つまたは複数の干渉セルを含み、１つまたは複数の干渉セルのセル基準信号が実際にＵＥと干渉し、ＵＥは、基地局から構成情報を受信し（Ｓ４０）、干渉セルに対するセル基準信号干渉相殺を実施する（Ｓ４６）。さらに、セル基準信号干渉相殺を基地局でトリガすることができ、またはＵＥによってトリガすることができる（Ｓ４２、Ｓ４４）。本発明によって提供される、セル基準信号干渉相殺を実施する方法は、従来技術の空白を埋める。【特許請求の範囲】
【請求項１】
基地局で、ＵＥを援助してセル基準信号干渉相殺を実施するのに使用される方法であって、
少なくとも１つのセルの構成情報をＵＥに送信するステップであって、前記構成情報は前記ＵＥによって使用されて、前記セルに対するセル基準信号干渉が相殺される、送信するステップを含み、
前記少なくとも１つのセルは１つまたは複数の干渉セルを含み、前記１つまたは複数の干渉セルの前記セル基準信号は実際に前記ＵＥと干渉する、方法。
【請求項２】
前記セル基準信号干渉相殺が前記基地局によってトリガされ、前記送信するステップの前に、
前記ＵＥに関する前記セル基準信号干渉を生み出す前記干渉セルを求めるステップをさらに含み、
前記送信するステップは、前記干渉セルのみの前記構成情報を前記ＵＥに送信する、請求項１に記載の方法。
【請求項３】
前記送信するステップは、ＵＥ専用の方式の一部で送信し、
前記構成情報は、ＰｈｙｓｉｃａｌＣｏｎｆｉｇＤｅｄｉｃａｔｅｄ情報要素で送信される、請求項２に記載の方法。
【請求項４】
前記求めるステップは、
位置サービスに従って前記ＵＥの位置を求め、配置されるワイヤレス・ネットワークの位置およびトポロジ構造に従って前記干渉セルを求めるステップと、
前記ＵＥによって送信された、検出され、レポートされた各近隣セルまたは近隣セルの一部の干渉関連情報に従って前記干渉セルを求めるステップであって、前記干渉関連情報は、
基準信号受信電力、
基準信号受信品質、および
チャネル・ステータス・インジケータ
のうちのいずれか１つを含む、前記干渉セルを求めるステップと
のうちの少なくともいずれかを含む、請求項２または３に記載の方法。
【請求項５】
前記セル基準信号干渉相殺は前記ＵＥによってトリガされ、
前記送信するステップは、前記ＵＥのすべての潜在的干渉セルの前記構成情報を前記ＵＥに送信する、請求項１に記載の方法。
【請求項６】
前記送信するステップは、前記基地局によって管理される前記セルのすべての近隣セルの前記構成情報を、前記管理されるセル内のすべてのＵＥにブロードキャストを介して送信し、
前記構成情報は、ＳｙｓｔｅｍＩｎｆｏｒｍａｔｉｏｎＢｌｏｃｋＴｙｐｅ４情報要素で送信される、請求項５に記載の方法。
【請求項７】
前記基地局および前記少なくとも１つのセルは異種ネットワークに属し、前記基地局はピコ基地局であり、前記少なくとも１つのセルはマクロ・セルであり、
前記構成情報は、
前記干渉セルの識別と、
前記干渉セルの前記セル基準信号のポート数と、
サブフレーム構成と、
ほぼブランクのサブフレームのフォーマット情報と
を含む、請求項１、２、または５のいずれか１項に記載の方法。
【請求項８】
ＵＥにおいて、セル基準信号干渉相殺を実施する方法であって、
基地局から少なくとも１つのセルの構成情報を受信するステップであって、前記少なくとも１つのセルは１つまたは複数の干渉セルを含み、前記１つまたは複数の干渉セルの前記セル基準信号が実際に前記ＵＥと干渉する、受信するステップと
前記構成情報に従って、前記干渉セルに対する前記セル基準信号干渉相殺を実施するステップと
を含む方法。
【請求項９】
前記セル基準信号干渉相殺は前記基地局によってトリガされ、
前記受信するステップは、前記基地局が送信する実際の干渉セルのみの前記構成情報を受信する、請求項８に記載の方法。
【請求項１０】
前記受信するステップはユーザ特有の方式で受信し、ＰｈｙｓｉｃａｌＣｏｎｆｉｇＤｅｄｉｃａｔｅｄ情報要素で前記構成情報を受信する、請求項９に記載の方法。
【請求項１１】
前記受信するステップの前に、
各近隣セルの干渉関連情報を検出するステップと、
各近隣セルまたは近隣セルの一部の前記干渉関連情報を前記基地局に送信するステップと
を含み、
前記干渉関連情報は、
基準信号受信電力、
基準信号受信品質、および
チャネル・ステータス・インジケータ
のうちのいずれか１つを含む、請求項９に記載の方法。
【請求項１２】
前記セル基準信号干渉相殺は前記ＵＥによってトリガされ、
前記受信するステップは、前記ＵＥのすべての潜在的干渉セルの前記構成情報を受信し、
前記セル基準信号干渉相殺を実施する前に、
前記実際の干渉セルを求めるステップを含み、
前記セル基準信号干渉相殺を実施する前記ステップは、すべての潜在的干渉セルの前記構成情報から実際の干渉セルの前記構成情報を選択し、前記構成情報に従って前記セル基準信号干渉相殺を実施する、請求項８に記載の方法。
【請求項１３】
前記受信するステップは、前記基地局によって管理される前記セルのすべての近隣セルの、ブロードキャストを介して送られる前記構成情報を受信し、
ＳｙｓｔｅｍIｎｆｏｒｍａｔｉｏｎＢｌｏｃｋＴｙｐｅ４情報要素で前記構成情報を受信する、請求項１２に記載の方法。
【請求項１４】
前記求めるステップは、
各近隣セルの干渉関連情報を検出するステップと、
各干渉関連情報に従って前記干渉セルを求めるステップと
を含み、
前記干渉関連情報は、
基準信号受信電力、
基準信号受信品質、および
チャネル・ステータス・インジケータ
のうちのいずれか１つを含む、請求項１２に記載の方法。
【請求項１５】
前記基地局および少なくとも１つのセルは異種ネットワークに属し、前記基地局はピコ基地局であり、前記少なくとも１つのセルはマクロ・セルであり、
前記構成情報は、
前記干渉セルの識別と、
前記干渉セルの前記セル基準信号のポート数と、
サブフレーム構成と、
ほぼブランクのサブフレームのフォーマット情報と
を含む、請求項８、９、または１２のいずれか１項に記載の方法。
【発明の詳細な説明】
【技術分野】
【０００１】
本発明はワイヤレス通信に関し、特にワイヤレス通信での干渉相殺に関する。
【背景技術】
【０００２】
異種ネットワーク（ＨｅｔＮｅｔ）がＬＴＥ−Ａワーク・アイテムに追加されており、同一チャネルＨｅｔＮｅｔ配置のためのｆｕｒｔｈｅｒ  ｅｎｈａｎｃｅｄ  ｉｎｔｅｒ−ｃｅｌｌ  ｉｎｔｅｒｆｅｒｅｎｃｅ  ｃｏｏｒｄｉｎａｔｉｏｎ（ｆｅＩＣＩＣ）は、３ＧＰＰ  ＬＴＥ−Ａリリース１１の主要な技術的特徴のうちの１つとなっている。同一チャネルは、同一周波数チャネル上で動作するマクロ・セルおよびマイクロ・セルを含む。そのような配置モードは、新しいセル間干渉調整（ＩＣＩＣ）技術を必要とするいくつかの特定の干渉シナリオを生み出す。
【０００３】
一シナリオでは、マイクロ・セルはピコセルであり、ピコセルは、マクロ・セル内のＵＥに対して開かれている。そのようなピコセルが全トラフィック負荷のかなりの部分を担うことを保証するために、好ましくはマクロ・セルではなくピコセルに関連付ける（アクセスする）ようにＵＥをプログラムすることができる。これは、例えば、ピコセルに関連付ける（アクセスする）ことを決定するのに使用されるＳＩＮＲしきい値をより低い値にバイアスをかけることにより達成することができ、それによって、ＵＥが、より高い比率で関連するようにピコセルを選択することが可能となる。このシナリオでは、ピコセルの縁部付近のＵＥは、１つまたは複数のマクロ・セルからの強い干渉を受けることになる。この問題を軽減するために、いくつかのサブフレームを、マクロ・セル内の「ほぼブランクのサブフレーム（ａｌｍｏｓｔ  ｂｌａｎｋ  ｓｕｂｆｒａｍｅ）（ＡＢＳと略す）」として構成することができる。ＡＢＳは一般に、データ伝送を含まず、制御シグナリング伝送をほとんどまたは全く含まない。リリース１０では、Ｘ２シグナリングが、ビットマップ形式でＡＢＳパターンを示すことができる（例えば、ビットマップ中の各ビットが一連のサブフレームのうちの１つをそれぞれ示し、ビットの論理値が、サブフレームがＡＢＳであるかどうかを示す）。ピコセルは、シグナリングを介してマクロ・セル内のＡＢＳの構成情報を得ることができ、ピコセル内のデータ伝送を妥当にスケジューリングすることができ、例えば、ＡＢＳと同時のサブフレームにピコセルの縁部のＵＥのデータ伝送をスケジューリングし、ＡＢＳと同時のサブフレームに関するＲＲＭ（無線リソース管理）／ＲＬＭ（無線リンク管理）／ＣＳＩ（チャネル・ステータス・インジケータ）の測定を実施するようにＵＥに通知する。
【０００４】
しかし、サブフレームがＡＢＳとして構成されるか否かに関わらず、マクロ・セルのｅＮＢは、サブフレーム上でセル基準信号（ｃｅｌｌ  ｒｅｆｅｒｅｎｃｅ  ｓｉｇｎａｌ）（ＣＲＳと略す）を送信する。これは、測定用の基準信号を見つけることを予期するが、ＡＢＳの存在に気付かないレガシーＵＥとの後方互換性を保証するためである。ＡＢＳはまた、同期信号、ブロードキャスト制御信号、および／またはページング信号なども含む。それは、マクロ・セルのＣＲＳが常に、同じ時のピコセル内のデータおよび制御チャネルと干渉することを意味する。３ＧＰＰ  ＲＡＮＩの議論の間、セル選択にバイアスをかけることによるセル範囲拡張（ＣＲＥ）が、ピコセルのカバレッジを拡張し、トラフィック負荷の平衡を取るための１つの主要な方法とみなされる。ＣＲＥに関する選択されたバイアス値が大きくなるとき、２つの上記の種類の干渉がより深刻となる。
【０００５】
干渉を解決する方法が当業界で提供されており、セル基準信号干渉相殺（ＣＲＳ  Ｃａｎｃｅｌｌａｔｉｏｎ）と呼ばれる。詳細には、ピコセル内のＵＥは、干渉セルのＣＲＳシーケンス、送信される時間周波数リソースに対応する位置、ＣＲＳのポート数（それは、ＣＲＳを送信するのにどれほどのアンテナが使用されるかということである）、およびＣＲＳが送信されるサブフレームを取得する必要がある。この情報を使用することにより、ピコセルは、受信した信号から、干渉セルによって送信されるＣＲＳの干渉を相殺することができる。
【発明の概要】
【発明が解決しようとする課題】
【０００６】
しかし、上述の必要とされる必要情報を除いて、従来技術では、既存の規格に基づいてＣＲＳ干渉相殺をどのようにトリガおよびサポートするかが論じられていない。
【課題を解決するための手段】
【０００７】
基地局での本発明の態様によれば、基地局で、ＵＥを援助してセル基準信号干渉相殺を実施するのに使用される方法であって、
少なくとも１つのセルの構成情報をＵＥに送信するステップであって、構成情報はＵＥによって使用されて、セルに対するセル基準信号干渉が相殺される、送信するステップを含み、
少なくとも１つのセルは１つまたは複数の干渉セルを含み、１つまたは複数の干渉セルのセル基準信号が実際にＵＥと干渉する方法が提供される。
【０００８】
一実施形態によれば、セル基準信号干渉相殺は基地局によってトリガされ、方法は、送信するステップの前に、
ＵＥに関するセル基準信号干渉を生み出す干渉セルを求めるステップをさらに含み、
送信するステップでは、干渉セルのみの構成情報をＵＥに送信する。
【０００９】
この実施形態では、干渉セルは基地局によって選択され、それによってＵＥの動作の複雑さが低減され、基地局は干渉セルのみの構成情報を対応するＵＥに送信し、それによってネットワーク帯域幅が節約される。
【００１０】
別の好ましい実施形態によれば、送信するステップは、ＵＥ専用の方式の一部で送信し、
構成情報は、ＰｈｙｓｉｃａｌＣｏｎｆｉｇＤｅｄｉｃａｔｅｄ情報要素で送信される。
【００１１】
この実施形態では、対応する干渉セルの構成情報は特定のＵＥに送信され、ブロードキャスティングモードを使用することが回避され、それは、より強い妥当性を有し、ブロードキャスト・リソースを節約する。
【００１２】
別の好ましい実施形態によれば、求めるステップは、
位置サービスに従ってＵＥの位置を求め、配置されるワイヤレス・ネットワークの位置およびトポロジ構造に従って干渉セルを求めるステップと、
ＵＥによって送信された、検出され、レポートされた各近隣セルまたは近隣セルの標準の干渉関連情報に従って干渉セルを求めるステップであって、干渉関連情報は、
基準信号受信電力、
基準信号受信品質、および
チャネル・ステータス・インジケータ
のうちのいずれか１つを含む、干渉セルを求めるステップと
のうちの少なくともいずれかを含む。
【００１３】
この実施形態では、基地局で干渉セルを求める２つの詳細な実装方法が提供され、この方法は、ＵＥと干渉する干渉セルを正確に求めることができ、したがってＵＥが正確なＣＲＳ干渉相殺を実施して通信性能を改善することを可能にする。
【００１４】
別の実施形態によれば、セル基準信号干渉相殺がＵＥによってトリガされ、
送信ステップでは、ＵＥのすべての潜在的干渉セルの構成情報がＵＥに送信される。
【００１５】
この実施形態では、干渉セルがＵＥによって選択され、それによって基地局の作業負荷が節約される。
【００１６】
別の好ましい実施形態によれば、基地局によって管理されるセルのすべての近隣セルの構成情報を、管理されるセル内のすべてのＵＥにブロードキャストを介して送信し、
構成情報が、ＳｙｓｔｅｍｌｎｆｏｒｍａｔｉｏｎＢｌｏｃｋＴｙｐｅ４情報要素によって送信される。
【００１７】
この実施形態では、すべての近隣セルは潜在的干渉セルとして取られ、その構成情報は、後で送信されることなく、ブロードキャストを介してすべてのＵＥに送信され、それによって基地局の作業負荷が低減され、ユニキャスト・リソースが節約される。
【００１８】
別の実施形態によれば、基地局および少なくとも１つのセルは異種ネットワークに属し、基地局はピコ基地局であり、少なくとも１つのセルがマクロ・セルであり、
構成情報は、
干渉セルの識別と、
干渉セルのセル基準信号のポート数と、
サブフレーム構成と、
ほぼブランクのサブフレームのフォーマット情報と
を含む。
【００１９】
この実施形態は、異種ネットワークでの本発明の詳細な適用を提供し、それは、異種ネットワークに現在存在するＣＲＳ干渉相殺のトリガリング問題を解決することができる。
【００２０】
ＵＥでの本発明の態様によれば、ＵＥで、セル基準信号干渉相殺を実施する方法が提供され、この方法は、
基地局から少なくとも１つのセルの構成情報を受信するステップであって、少なくとも１つのセルは１つまたは複数の干渉セルを含み、１つまたは複数の干渉セルのセル基準信号が実際にＵＥと干渉する、受信するステップと、
構成情報に従って、干渉セルに対するセル基準信号干渉相殺を実施するステップと
を含む。
【００２１】
以下の図面を参照する非限定的な実施形態の詳細な説明を読むことにより、本発明の他の特徴、目的、および利点がより明らかとなるであろう。
【図面の簡単な説明】
【００２２】
【図１】本発明の一実施形態による、基地局によってトリガされるＣＲＳ干渉相殺の方法の流れ図である。
【図２】本発明の別の実施形態による、ＵＥによってトリガされるＣＲＳ干渉相殺の方法の流れ図である。
【発明を実施するための形態】
【００２３】
本発明の基本的概念によれば、セル基準信号干渉相殺を実施するために使用される方法が提供され、
基地局が少なくとも１つのセルの構成情報をＵＥに送信し、構成情報がＵＥによって使用され、セルに対するセル基準信号干渉が相殺され、少なくとも１つのセルが１つまたは複数の干渉セルを含み、１つまたは複数の干渉セルのセル基準信号が実際にＵＥと干渉する方法が提供される。
ＵＥが、基地局から少なくとも１つのセルの構成情報を受信し、構成情報に従って、干渉セルに対するセル基準信号干渉相殺を実施する。
【００２４】
以下に、本発明の概念に基づく２つの詳細な実施形態をそれぞれ列挙し、セル基準信号干渉相殺（ＣＲＳ干渉相殺）が、基地局およびＵＥによってそれぞれトリガされる。
【００２５】
第１の実施形態
この実施形態では、ＣＲＳ干渉相殺が基地局によってトリガされ、すなわちｅＮＢが、干渉セルに対するＣＲＳ干渉相殺をいつ、どのように実施するかを決定し、ＣＲＳ干渉相殺を実施するようにＵＥに示すために、ＣＲＳ干渉相殺の示唆として干渉セルの構成情報をＵＥに送信する。
【００２６】
詳細には、図１に示すように、ステップＳ１０で、ｅＮＢが、ＵＥに対するＣＲＳ干渉を生み出す干渉セルを求める。
【００２７】
詳細には、一実施形態では、ステップＳ１００で、ｅＮＢが、上位層の位置サービス、例えば３つの基地局位置によってＵＥ位置を得ることができ、ワイヤレス・ネットワークの配置されたトポロジと組み合わせることによって干渉セルを求める。例えば、ｅＮＢはＨｅｔＮｅｔ内のピコ基地局であり、ｅＮＢはＵＥ位置を取得し、ＵＥが現在ピコセルの縁部にあり、マクロ・セルＭ付近にあることを取得し、次いでｅＮＢは、マクロ・セルＭが干渉セルであることを判定することができる。
【００２８】
別の実施形態では、ステップＳ２０では、ＵＥは、ｅＮＢの表示に従って、各近隣セルの干渉関連情報を検出することができ、干渉関連情報は、
基準信号受信電力（ＲＳＲＰ）、
基準信号受信品質（ＲＳＲＱ）、および
チャネル・ステータス・インジケータ（ＣＳＩ）
のうちのいずれか１つを含む。
【００２９】
ｅＮＢは、上記の測定を実施し、各ＵＥがそれぞれ干渉を受信するかどうかを判定するようにすべてのＵＥに命令することができる。ＵＥは、近隣セルのＰＣＩＤおよびＣＲＳシーケンスを検出することができ、近隣セル内の送信されるＣＲＳの時間周波数リソース（副搬送波、ＯＦＤＭシンボルなど）の位置を取得することができ、したがってＵＥは、これらの情報に従って上記のＲＳＲＰ／ＲＳＲＱ／ＣＱＩを測定する。
【００３０】
次いで、ステップＳ２２で、ＵＥは、各近隣セルの検出した干渉関連情報をｅＮＢに送信する。あるいは、ＵＥは、予備スクリーニングを実施することができ、一定の条件を満たす干渉関連情報、例えばそのＲＳＲＰ／ＲＳＲＱがしきい値よりも大きい近隣セルの部分をｅＮＢに送信することができる。
【００３１】
ステップＳ１０２で、ｅＮＢは、ＵＥによって送信される近隣セルの干渉関連情報を受信する。ステップＳ１０４で、ｅＮＢは、例えば一定の条件を満たす干渉関連情報を干渉セル、例えばそのＲＳＲＰ／ＲＳＲＱがしきい値よりも大きい近隣セルの部分として取って、干渉セルを求める。
【００３２】
次いで、ステップＳ１２で、ｅＮＢは、干渉マクロ・セルＭのみの構成情報をＵＥに送信する。ｅＮＢは、ネットワーク配置段階で、ＯＡＭ（運用、管理、および保守）を通じてマクロ・セルＭの構成情報を得ることができる。
【００３３】
干渉セルはＵＥに特有のものであり、ｅＮＢによって管理されるすべてのＵＥにとって共通のものではないことを理解することができる。したがって、すべてのＵＥが構成情報を受信する必要があるわけではない。したがって、好ましくは、ｅＮＢは、ＲＲＣシグナリング内に構成情報を配置して、それをＵＥ専用の方式でＵＥに送信する。
【００３４】
この実施形態は、干渉セルの構成情報フィールドがその中に追加される、ＲＲＣシグナリング内のＰｈｙｓｉｃａｌＣｏｎｆｉｇＤｅｄｉｃａｔｅｄ情報要素を改善する。ＰｈｙｓｉｃａｌＣｏｎｆｉｇＤｅｄｉｃａｔｅｄ情報要素のデータ構造を以下のように示す。
【００３５】
【表１】
2015510321.tif 000002
【００３６】
太字のフィールドは、この実施形態に関するＰｈｙｓｉｃａｌＣｏｎｆｉｇＤｅｄｉｃａｔｅｄ情報要素の拡張フィールドであり、フィールドの説明は以下の通りである。
【００３７】
【表２】
2015510321.tif 000003
【００３８】
他のフィールドの意味は、現在の規格で指定されるのと同じであり、本明細書は不要な議論を与えない。
【００３９】
ステップＳ２４で、ＵＥは、干渉マクロ・セルＭの構成情報を受信する。
【００４０】
ＵＥがピコ基地局によって送信されるデータを受信し、またはＡＢＳサブフレームでチャネル測定を実施する必要があるとき、ステップＳ２６で、ＵＥは、構成情報、ＣＲＳシーケンス、およびＣＲＳシーケンスが配置するリソースに基づいて、干渉マクロ・セルＭによって送信されるＣＲＳの相殺を実施する。ＣＲＳ干渉相殺を実施するためのＵＥの技術は、当技術分野で周知であり、本発明は不要な議論を与えない。
【００４１】
上記の実施形態では、干渉セルはマクロ・セルＭのみであり、別の実施形態では、ｅＮＢは複数の干渉セルを求めることができる。そのようなケースでは、ｅＮＢは、複数の干渉セルの構成情報をＵＥに送信することができ、したがってＵＥは、正確なＣＲＳ干渉相殺を実施することができる。
【００４２】
上記の実施形態では、ＣＲＳ干渉相殺がｅＮＢによってトリガされる。以下では、ＣＲＳ干渉相殺がＵＥによってトリガされる本発明の第２の実施形態を詳細に説明する。
【００４３】
第２の実施形態
この実施形態では、ＣＲＳ干渉相殺がＵＥによってトリガされ、すなわち、ＵＥは、干渉セルに対するＣＲＳ干渉相殺をいつ、どのように実施するかを決定する。ｅＮＢは、どの近隣セルがＵＥと干渉するかを区別する役目を果たさず、ＵＥがＵＥ自体で干渉セルを選択することを可能にする。ｅＮＢは、恐らくは干渉を生み出すすべての潜在的干渉セルの構成情報をＵＥに通知することができ、干渉セルをＵＥ自体で選択した後に、ＵＥが干渉セルの構成情報を取り出し、ＣＲＳ干渉相殺を実施することを可能にする。
【００４４】
詳細には、図２に示すように、ステップＳ３０で、ｅＮＢは、ＵＥのすべての潜在的な干渉セルの構成情報をＵＥに送信する。
【００４５】
より好ましくは、ｅＮＢによって管理されるセルのすべての近隣セルは、ＵＥの干渉セルとなる可能性があり、したがってｅＮＢは、ブロードキャストを介して、管理されるセル内のＵＥに、ｅＮＢによって管理されるセルのすべての近隣セルの構成情報を送信し、ＵＥがＣＲＳ干渉相殺を実施することができること保証する。ｅＮＢは、ネットワーク配置段階で、ＯＡＭ（運用、管理、および保守）を通じてすべての近隣セルの構成情報を得ることができる。
【００４６】
現在の規格に基づいて、本発明の実施形態は、ＳｙｓｔｅｍIｎｆｏｒｍａｔｉｏｎＢｌｏｃｋＴｙｐｅ４（ＳＩＢ４と略す）情報要素内に構成情報を配置する。ＳＩＢ４情報要素が、データ・チャネルですべてのＵＥにブロードキャストされる。構成情報を含めるために、ＳＩＢ４情報要素のデータ構造が拡張され、拡張された情報要素を以下のように示す。
【００４７】
【表３】
2015510321.tif 000004
【００４８】
ＩｎｔｒａＦｒｅｑＮｅｉｇｈＣｅｌｌＬｉｓｔフィールドは、同一の周波数を有する近隣セル・リストを意味し、それは、１つまたは複数のＩｎｔｒａＦｒｅｑＮｅｉｇｈＣｅｌｌＩｎｆｏフィールドを含み、各ＩｎｔｒａＦｒｅｑＮｅｉｇｈＣｅｌｌＩｎｆｏフィールドは、それぞれ近隣セルを記述する。ＩｎｔｒａＦｒｅｑＮｅｉｇｈＣｅｌｌＩｎｆｏフィールド内の太字のフィールドは、実施形態によるＳＩＢ４情報要素の拡張であり、フィールドの説明は以下の通りである。
【００４９】
【表４】
2015510321.tif 000005
【００５０】
他のフィールドの意味は、現在の規格で指定されるのと同じであり、本明細書は不要な議論を与えない。
【００５１】
それに対応して、ステップＳ４０で、ＵＥは、ブロードキャストを介して、ｅＮＢによって管理されるセルのすべての近隣セルの構成情報をｅＮＢから受信し、近隣マクロ・セルＭの構成情報が含まれる。
【００５２】
次いで、ステップＳ４２で、ＵＥは、近隣セルのＰＣＩＤおよびＣＲＳシーケンスを正確に推定し、各近隣セルの干渉関連情報を検出することができるはずである。詳細には、干渉関連情報は、
基準信号受信電力（ＲＳＲＰ）、
基準信号受信品質（ＲＳＲＱ）、および
チャネル・ステータス・インジケータ（ＣＳＩ）
のうちのいずれか１つを含む。
【００５３】
確かに、干渉関連情報はまだ、ＵＥによって得られる他の測定結果である可能性がある。ＵＥは、近隣セルのＰＣＩＤおよびＣＲＳシーケンスを検出し、近隣セルの送信されたＣＲＳのリソース（副搬送波、ＯＦＤＭシンボルなど）を取得することができ、したがってＵＥは、これらの情報に従って上記のＲＳＲＰ／ＲＳＲＱ／ＣＱＩを測定する。
【００５４】
次いで、ステップＳ４４で、ＵＥは、各干渉関連情報に従って干渉セルを求める。例えば、ＵＥは、一定のしきい値よりも大きいＲＳＲＰ／ＲＳＲＱを有する近隣セルを干渉セルとして求めることができる。この実施形態では、マクロ・セルＭのＲＳＲＰ／ＲＳＲＱは、しきい値よりも大きく、次いでＵＥは、マクロ・セルＭを干渉セルとして求める。
【００５５】
次いで、ＵＥは、すべての近隣セルの構成情報から干渉マクロ・セルＭの構成情報を選択する。
【００５６】
ＵＥがピコ基地局によって送信されるデータを受信し、またはＡＢＳサブフレームでチャネル測定を実施するとき、ステップＳ４６で、上記の構成情報、ＣＲＳシーケンス、リソースを送信するＣＲＳに基づいて、ＵＥは、干渉マクロ・セルＭによって送信されるＣＲＳの相殺を実施する。ＣＲＳ干渉相殺を実施するためのＵＥの技術は、当技術分野で周知であり、本明細書は不要な議論を与えない。
【００５７】
上記の実施形態では、干渉セルはマクロ・セルＭのみであり、別の実施形態では、ＵＥは複数の干渉セルを求めることができる。そのような条件では、ｅＮＢは、複数の干渉セルを含むすべての近隣セルの構成情報をＵＥに送信しているので、ＵＥは、すべての近隣セルからすべての干渉セルの構成情報を選択し、正確なＣＲＳ干渉相殺を実施する。
【００５８】
矛盾しない場合は、本願の実施形態および実施形態での特徴を互いに任意の方式で組み合わせることができることを明記する必要がある。
【００５９】
確かに、精神および本質から逸脱することなく、本発明の他の多くの実施形態があり、当業者は、本発明に従って様々な種類の対応する変更および修正を行うことができ、対応する変更および修正は、添付の特許請求の範囲の保護範囲に属するべきである。
【００６０】
関連するハードウェアに命令するプログラムを通じて、上記の方法でのすべてのステップまたは部分的なステップを達成できること、コンピュータ可読記憶媒体、例えば読取り専用メモリ、ディスク、またはＣＤ−ＲＯＭなどにプログラムを格納することができることを当業者は理解することができる。任意選択で、１つまたは複数の集積回路を使用することにより、上記の実施形態でのすべてのステップまたは部分的なステップを達成することができる。それに対応して、上記の実施形態での各モジュール／ユニットは、達成するためにハードウェアまたはソフトウェア機能モジュールの形態を取ることができる。本発明は、ハードウェアとソフトウェアの組合せの何らかの特定の形態に限定されない。
【図１】
2015510321.tif 000006
【図２】
2015510321.tif 000007
【国際調査報告】
2015510321.tif 000008
2015510321.tif 000009
2015510321.tif 000010